(57)【要約】【課題】リモコンシステムにおいて、操作者の意にかなった制御ができなかった。【解決手段】リモコン送信器１１からの信号を受信する受信部２２と、この受信部２２に接続されるとともに録画装置１９にも接続された処理部３５と、この処理部３５に接続されるとともにカラオケ装置１７に向かって信号を送信する送信部２６とを備え、処理部３５は受信部２２から出力された信号を、メモリー部２９に格納された処理命令テーブル３０と録画装置１９の状況に基づいてあらかじめ定められた処理をした後、送信部２６からカラオケ装置１７に向かって、受信部２２が受信した信号と同一の信号を同じ赤外線信号１２，３７を用いて送信するものである。これにより、操作者の意にかなった制御が可能なリモコンシステムを実現することができる。【選択図】図１
2005091898.tif 000002
【特許請求の範囲】
【請求項１】
リモコン送信器、及びそのリモコン送信器から送信された信号に基づいた動作を実行するリモコン受信器との間に介在されるリモコン制御装置であって、
前記リモコン送信器から送信された信号を受信する受信手段と、
その受信手段に接続されるとともに外部装置にも接続された処理手段と、
その処理手段に接続されるとともに前記リモコン受信器に向かって信号を送信する送信手段とを備えており、
前記処理手段は、前記受信手段の受信信号及び前記外部装置の運転状況に基づいた処理内容を記憶する処理命令テーブルを格納する記憶手段を備え、その記憶手段の処理命令テーブルに記憶されている処理内容に基づいた処理を実行することを特徴とするリモコン制御装置。
【請求項２】
リモコン送信器とリモコン受信器との間の通信媒体は赤外線信号が用いられるとともに、送信手段は前記リモコン受信器の受光手段を覆うように近接して設けられ、受信手段はシールド手段を介して前記送信手段の反対側に設けられていることを特徴とする請求項１記載のリモコン制御装置。
【請求項３】
手操作による入力手段を備えており、
その入力手段に特定の入力をした後、リモコン送信器から前記特定の入力に対応する信号を出力させて、処理命令テーブルを作成することを特徴とする請求項１又は２に記載のリモコン制御装置。
【請求項４】
リモコン受信器がカラオケ本体装置により構成されるとともに、外部装置が録音装置又は録画装置の少なくとも何れか一方の装置により構成されていることを特徴とする請求項１から３の何れかに記載のリモコン制御装置。
【請求項５】
命令処理テーブルには、リモコン送信器から信号が送信されても、送信手段からリモコン受信器への信号の送信を禁止する命令が含まれていることを特徴とする請求項１から４の何れかに記載のリモコン制御装置。
【請求項６】
命令処理テーブルには、リモコン送信器から信号が送信されても、外部装置の運転準備が整うまで、送信手段からリモコン受信器への信号の送信を停止する命令が含まれていることを特徴とする請求項１から５の何れかに記載のリモコン制御装置。
【請求項７】
命令処理テーブルには、リモコン送信器から信号が送信されたら、その内容を処理手段に接続された記憶手段に格納した後、送信手段からリモコン受信器へ信号を送信する命令が含まれていることを特徴とする請求項１から６の何れかに記載のリモコン制御装置。
【請求項８】
命令処理テーブルには、リモコン送信器から信号が送信されたら、そのまま送信手段からリモコン受信器へ信号を送信する命令が含まれていることを特徴とする請求項１から７の何れかに記載のリモコン制御装置。
【請求項９】
リモコン送信器とリモコン受信器との間の通信媒体は電波が用いられるとともに、リモコン送信器から受信した信号の周波数と異なる周波数の信号を送信手段から前記リモコン受信器へ送信することを特徴とする請求項１から８の何れかに記載のリモコン制御装置。
【発明の詳細な説明】
【技術分野】
【０００１】
本発明は、リモコン送信器とリモコン受信器との間に介在され、リモコン送信器からリモコン受信器への信号送信を制御するリモコン制御装置に関する。
【背景技術】
【０００２】
以下、従来のリモコン送信器と、そのリモコン送信器から送信された信号に基づいてあらかじめ定められた動作をするリモコン受信器について説明する。背景技術（従来技術）については、図７に示すカラオケシステムの例に挙げて説明する。
【０００３】
図７において、１はリモコン送信器であり、操作者（一般には歌唱者）が歌いたい曲名の番号に対応するリモコン送信器１の操作キーを押下する。そうすると、その押下した操作キーに対応した赤外線信号２がリモコン受信器としてのカラオケ装置３に向かって送信（発信、出力）される。
【０００４】
カラオケ装置３では、前記赤外線信号２を受信して該当する曲を演奏する。歌唱者４はこの演奏にあわせて用意されたマイクロフォン（以下、便宜上、単に「マイク」という。）に向かって歌唱する。この音声はマイク５を介して電波６でカラオケ装置３に向かって送信される。カラオケ装置３ではこの電波６が受信されスピーカ７から出力される。
【０００５】
８と９は外部装置としてのビデオカメラとビデオレコーダであり、ビデオカメラ８で歌唱者４の姿を撮影してビデオレコーダ９に録画するものである。
【０００６】
なお、本出願の発明に関連する先行技術文献情報としては、例えば、特許文献１、特許文献２が知られている。
【特許文献１】特開２００２−２１５１７８号公報
【特許文献２】特開２００２−２４４６７５号公報
【発明の開示】
【発明が解決しようとする課題】
【０００７】
しかしながら、このような従来のカラオケシステムでは、歌唱者４がまだ歌う準備が十分にできない間にビデオレコーダ９が録画を開始したり、歌唱者４が歌い始めたのにビデオレコーダ９が未だ録画の準備ができず、歌唱者４の得意のポーズ等が録画できない場合もあった。即ち、操作者の意にかなったようにカラオケ録音録画システムを提供することができなかった。
【０００８】
同様の問題点は、他のシステムにおいても同様に発生していた。例えば、スタジオ等において、歌手の歌声等を録音装置に録音する場合に、録音中であるにもかかわらず、不用意にリモコン送信器の手操作により空調装置（エアコン装置）のスイッチをオンオフしてしまうと、歌声とともにノイズも共に録音されてしまうという不具合があった。このように、リモコン送信器により一の電化製品（上述の例においては、カラオケ装置、空調装置が相当する。）を操作する場合に、他の電化製品（上述の例においては、ビデオカメラ、ビデオレコーダ、録音装置に相当する。）の運転状況の如何に応じて、かかるリモコン信号の送信を制御する必要があった。
【０００９】
本発明は、上述の問題（不具合）を解決したもので、操作者の意にかなった制御が可能なリモコンシステム（リモート・コントロール・システムの略）を実現可能なリモコン制御装置を提供することを目的としている。
【課題を解決するための手段】
【００１０】
（請求項１）
この目的を達成するための請求項１記載のリモコン制御装置は、リモコン送信器、及びそのリモコン送信器から送信された信号に基づいた動作を実行するリモコン受信器との間に介在されるリモコン制御装置であって、前記リモコン送信器から送信された信号を受信する受信手段と、その受信手段に接続されるとともに外部装置にも接続された処理手段と、その処理手段に接続されるとともに前記リモコン受信器に向かって信号を送信する送信手段とを備えており、前記処理手段は、前記受信手段の受信信号及び前記外部装置の運転状況に基づいた処理内容を記憶する処理命令テーブルを格納する記憶手段を備え、その記憶手段の処理命令テーブルに記憶されている処理内容に基づいた処理を実行するものである。
これにより、操作者の意にかなった制御が可能なリモコンシステムを実現することができる。
（請求項２）
請求項２記載のリモコン制御装置は、請求項１記載のリモコン制御装置において、リモコン送信器とリモコン受信器との間の通信媒体は赤外線信号が用いられるとともに、送信手段は前記リモコン受信器の受光手段を覆うように近接して設けられ、受信手段はシールド手段を介して前記送信手段の反対側に設けられている。
これにより、リモコン送信器から送信（換言すれば、発信、出力。）される赤外線信号が直接リモコン受信器の受光手段に入力されることはない。したがって、確実にこのリモコン制御装置が働き、操作者の意にかなった制御が可能なリモコンシステムを実現することができる。
また、送信手段がリモコン受信器の受光手段に近接しているので、送信手段の出力は微弱でも良く、省エネルギーに貢献できる。
更に、送信手段と受信手段との間にシール部が設けられているので、受信手段で受信した信号が直接送信手段に洩れることはない。
（請求項３）
請求項３記載のリモコン制御装置は、請求項１又は２に記載のリモコン制御装置において、手操作による入力手段を備えており、その入力手段に特定の入力をした後、リモコン送信器から前記特定の入力に対応する信号を出力させて、処理命令テーブルを作成するものである。
これにより、リモコン送信器から送信される信号を学習させることができるので、どのような形式のリモコンシステムにも対応することができる。
（請求項４）
請求項４記載のリモコン制御装置は、請求項１から３の何れかに記載のリモコン制御装置において、リモコン受信器がカラオケ本体装置により構成されるとともに、外部装置が録音装置又は録画装置の少なくとも何れか一方の装置により構成されている。
これにより、カラオケシステムとして有用に使用することができる。即ち、外部装置としての録音装置或いは録画装置の準備が十分整うことを歌唱者が確認した後、曲に合った振り付けをしながら歌うことができ、歌唱者の意にかなった録音または録画をすることができる。
（請求項５）
請求項５記載のリモコン制御装置は、請求項１から４の何れかに記載のリモコン制御装置において、命令処理テーブルには、リモコン送信器から信号が送信されても、送信手段からリモコン受信器への信号の送信を禁止する命令が含まれている。
これにより、例えば録画しているときに誤ってリモコン送信器の停止ボタンを押したとしても、その押下を無視することができるので、録画が停止されることはない。但し、２回続けて押下すれば有効となる。
（請求項６）
請求項６記載のリモコン制御装置は、請求項１から５の何れかに記載のリモコン制御装置において、命令処理テーブルには、リモコン送信器から信号が送信されても、外部装置の運転準備が整うまで、送信手段からリモコン受信器への信号の送信を停止する命令が含まれている。
これにより、歌唱者は録音装置或いは録画装置の準備が整ったことを確認した後、歌ったり踊ったりすることができるので、歌唱者の意にかなった録音または録画ができる。
（請求項７）
請求項７記載のリモコン制御装置は、請求項１から６の何れかに記載のリモコン制御装置において、命令処理テーブルには、リモコン送信器から信号が送信されたら、その内容を処理手段に接続された記憶手段に格納した後、送信手段からリモコン受信器へ信号を送信する命令が含まれている。
これにより、選曲にかかる情報を記憶手段に格納するので、各種の選曲にまつわるデータの統計等を容易に得ることができる。従って、営業上非常に有効である。
（請求項８）
請求項８記載のリモコン制御装置は、請求項１から７の何れかに記載のリモコン制御装置において、命令処理テーブルには、リモコン送信器から信号が送信されたら、そのまま送信手段からリモコン受信器へ信号を送信する命令が含まれている。
これにより、例えばカラオケ装置がリモコン送信器からの出力に応じて、瞬時に音程とかスピードとかに対応することができるので、歌唱者は自分の意にかなった歌や踊りを楽しむことができる。
（請求項９）
請求項９記載のリモコン制御装置は、請求項１から８の何れかに記載のリモコン制御装置において、リモコン送信器とリモコン受信器との間の通信媒体は電波が用いられるとともに、リモコン送信器から受信した信号の周波数と異なる周波数の信号を送信手段から前記リモコン受信器へ送信するものである。
これにより、リモコン送信器とリモコン受信器との間の通信に電波を用いているので、コントロール装置の設置のための場所選択が自由である。
また、受信した周波数と異なる周波数の電波を用いているので、リモコン送信器の電波と送信手段の電波との間で混信を生ずることはない。なお、リモコン送信器か或いはリモコン受信器のどちらか一方の周波数チャンネルを変えるのみで、既設のリモコンシステムに変更を加えることなく使用することができる。
更に、送信手段をリモコン受信器の受光手段の近傍に設置することができるので、送信手段の出力は微弱でも良く、省エネルギーに貢献できる。
【発明の効果】
【００１１】
本発明によれば、リモコン送信器からの信号を受信手段により受信された場合、記憶手段に格納された処理命令テーブルの処理内容に基づいた処理が実行されるが、この処理命令テーブルには受信信号の内容と外部装置の運転状況の内容との組合せに基づいた処理内容が記憶されているので、操作者の意にかなった制御が可能なリモコンシステムを実現することができる。
【発明を実施するための最良の形態】
【００１２】
以下、添付図面を参照して、本発明の好ましい実施の形態の例（実施例）について説明する。勿論、下記実施例は、本発明の好ましい例を示すに過ぎず、本発明の技術的範囲は、下記実施例そのものに何ら限定されるものではない。
【００１３】
（第１実施例）
以下、本発明の第１実施例におけるリモコン制御装置とこのリモコン制御装置を用いたリモコン受信システムについて図１を用いて説明する。
【００１４】
図１において、１１は赤外線信号１２を出力するリモコン送信器である。１３はマイクであり、アンテナ１３ａから電波１４を送信するものである。１５はマイク１２を持って歌ったり踊ったりする歌唱者である。１６は本発明のリモコン制御装置であり、１７はリモコン受信器（第１電化製品）としてのカラオケ装置である。１８はビデオカメラであり１９は録画装置（ビデオレコーダーともいう。録音機能も備えていても備えていなくても何れでも良い。）である。なお、この録画装置１９は録音装置（録音機能のみを有する装置）であっても良い。ここで、ビデオカメラ１８と録画装置１９とは外部装置（第２電化製品）の一例として用いた。このビデオカメラ１８と録画装置１９はカラオケ装置１７に夫々接続されている。
【００１５】
次に、リモコン制御装置１６について説明する。２１は赤外線信号１２を受信するフォトトランジスタであり、受信部（受信手段に相当）２２に接続されている。またこの受信部２２の出力は比較器２３の一方の入力に接続されるとともに制御部２４と一時記憶部２５の入力にも接続されている。そして、この一時記憶部２５の出力は送信部（送信手段に相当）２６の入力に接続され、その出力は赤外線を発光する発光ダイオード２７に接続されている。２８はシールド手段であり、受信部２２と送信部２６とを光学的に分離するものである。このように受信部２２により受信した赤外線信号を記憶し、その記憶した赤外線信号を送信部２６により送信する構成（機構）とすることにより、既存のカラオケシステムに適用する場合にも、そのカラオケシステムを何ら改造することなく、そのまま使用することができる（基本的には、リモコン制御装置１６のみを購入すれば良い）。言い換えれば、受信手段が受信した信号と同一の信号を同一の媒体を介して送信することが可能となり、既設のリモコンシステムに変更を加えることなく使用することができ、ひいては、既設のリモコンシステムを有効に活用することができる。また、シールド手段２８を設けることにより、誤動作の発生を防止でき、好ましい。勿論、現在の（古くなった）カラオケシステムを新規のものに買い換える場合にも、同様である。
【００１６】
２９は制御部２４に接続されたメモリー部（記憶手段に相当）であり、処理命令テーブル３０等を記憶させるものである。そしてこのメモリー部２９の出力は比較器２３の他方の入力に接続されており、この比較器２３の出力は制御部２４に接続されている。
【００１７】
３１は、制御部２４に接続されるとともにプログラム等が格納されたＲＯＭであり、３２はキーボード等で構成された入力手段であり、３３は表示部であり共に制御部２４に接続されている。また、この制御部２４には録画装置１９の状態を示す信号も接続されている。
【００１８】
このリモコン制御装置１６において、図１の点線３４内の構成要素で処理部３５を構成している、これはパーソナルコンピュータ（以下、パソコン）で構成されている。また、フォトトランジスタ２１と受信部２２とシールド手段２８と送信部２６と発光ダイオード２７とで送受信手段３６を構成し、一枚の小形のプリント基板上に形成されている。この送受信手段３６はプリント基板の表面にフォトトランジスタ２１と受信部２２が実装され、シールド手段２８を挟んでその裏側に送信部２６と発光ダイオード２７が実装されている。なお、このプリント基板は多層基板であって、その内層にシールド手段２８が形成されている。
【００１９】
この送受信手段３６は小形のプリント基板上に構成されているので、カラオケ装置１７の受光手段を形成するフォトトランジスタ２０の近傍にこのフォトトランジスタ２０を覆うように装着することができる。従って、リモコン送信器１１から送信される赤外線信号１２が直接このフォトトランジスタ２０に入力されることはない。また、パソコンで構成された処理部３５は送受信手段３６から離れた位置に設置することができる。従って、処理部３５の設置の自由度が増す。
【００２０】
以上のように構成されたリモコン制御装置１６について以下にその動作を説明する。フォトトランジスタ２１に入力されたリモコン送信器１１からの赤外線信号１２は受信部２２で増幅されて一時記憶部２５に一時記憶されるとともに、比較器２３と制御部２４に入力される。
【００２１】
この信号は比較器２３でメモリー部２９内に格納された（図２）に示す処理命令テーブル３０と比較されて、この処理命令テーブル３０で指定された動作を制御部２４が指令する。
【００２２】
即ち、リードコントロール処理：（図２）に示す処理区分Ａの信号が入力された場合であって、例えば「歌い直し」の信号が入力されたら、制御部２３は録画装置１９が録画できる状態か否かを判断し、録画できる状態でなかったら録画できる状態になるまで待つ。そして、録画できる状態になったら、一時記憶部２５に格納されている信号を送信部２６に向けて出力する。そして、この信号は送信部２６で増幅されて発光ダイオード２７で電気信号を赤外線信号３７に変換して、カラオケ装置１７の受光手段を形成するフォトトランジスタ２０に向けて出力する。
【００２３】
従って、録画装置１９の準備が整った状態でカラオケ装置１７は「歌い直し」の信号に従って再スタートをする。このようにして、歌唱者１５の歌と踊りは確実に録画装置１９に録画される訳である。このように、処理区分Ａの信号が入力された場合には、その信号は一時記憶部２５に格納して、録画装置１９等外部装置が動作できる条件がそろったことを確認した後、一時記憶部２５に格納された信号をカラオケ装置１７に向かって出力するものである。従って、歌唱者１５の意に沿った録画をすることができる。
【００２４】
次に、リードスルー処理：（図２）に示す処理区分Ｂの信号が入力された場合であって、例えば「選曲番号１〜０」の信号が入力されたら、制御部２３はその信号をメモリー部２９に格納するとともに一時記憶部２５に記憶された信号を送信部２６に向けて出力し、発光ダイオード２７で赤外線信号３７に変換してカラオケ装置１７に向けて出力する。
【００２５】
従って、この場合カラオケ装置１７はリモコン送信器１１から信号が送信されるたびに即座に受信して演奏の準備をすることができる。また、この選曲番号はメモリー部２９に格納されているので、後から種々の処理を加えてビジネスに役立てることができる。このように、処理区分Ｂの信号が入力された場合には、その信号はメモリー部２９と一時記憶部２５に格納すると同時に送信部２６に向けて出力し、発光ダイオード２７で赤外線信号３７に変換してカラオケ装置１７に向けて出力する。
【００２６】
次に、フルスルー処理：（図２）に示す処理区分Ｃの信号が入力された場合であって、例えば「主音量大」の信号が入力されたら、制御部２４は何もしないでそのまま一時記憶部２５に格納された信号を送信部２６に向けて出力し、発光ダイオード２７で赤外線信号３７に変換してカラオケ装置１７に向けて出力する。
【００２７】
従って、この場合は、リモコン送信器１１の信号がそのままリモコン制御装置１６をスルーしてカラオケ装置１７に伝達される訳である。
【００２８】
図３は、リモコン送信器１１のブロック図である。図３において、４１は入力手段としてのキーボードであり、このキーボード４１には（図２）の「スイッチ名」に対応したキーが設けられている。そして、このキーボード４１は制御回路４２に接続されている。４３は表示部であり液晶で形成されている。また、制御回路４２は駆動回路４４に接続され、その出力は赤外線を発光する発光ダイオード４５に接続されている。
【００２９】
以上のように構成されたリモコン送信器１１について以下にその動作を説明する。キーボード４１から入力された信号は制御部４２でコード化されて表示部４３に表示されるとともに駆動回路４４に出力される。この駆動回路４４で発光ダイオード４５を駆動し、キーボード４１から入力された信号を赤外線信号１２に変換して、リモコン制御装置１６のフォトトランジスタ２１に向けて送信する。
【００３０】
図４は、カラオケ装置１７とその周辺のブロック図である。図４において、２０はリモコン制御装置１６の発光ダイオード２７から出力される赤外線信号３７が入力されるフォトトランジスタである。このフォトトランジスタ２０の出力は受信手段５１に接続され、その出力は制御部５２に接続されている。
【００３１】
この制御部５２の出力はメモリー部５３に接続されると共に表示制御部５４にも接続されている。なお、前記メモリー部５３には複数個の曲番号とこの曲番号に夫々対応した画像データ、音響データ、文字データ等が格納されている。
【００３２】
表示制御部５４の出力は、複数個のモニタ５５と加算器５６に接続されるとともに、録画装置１８にも接続されている。５７はマイク１３から出力される電波を受信するアンテナであり、このアンテナ５７に入力された信号は、復調部５８で復調されて加算器５６に入力される。そして、この加算器５６の出力は増幅器５９と録画装置１８に接続されている。また、増幅器５９の出力はスピーカ６０に接続されている。また、ビデオカメラ１７の出力も録画装置１８に接続されている。
【００３３】
なお、図示はしていないが、この録画装置１８の出力はリモコン制御装置１６の制御部２４にも接続されている。
【００３４】
６１はＲＯＭであり、６２はＲＡＭであり、６３は液晶で形成された表示部であり夫々制御部５２に接続されている。
【００３５】
以上のように構成されたカラオケ装置１７とその周辺のビデオカメラ１７や録画装置１８の動作について以下に説明する。
【００３６】
リモコン制御装置１６の発光ダイオード２７から送信された赤外線信号３７はフォトトランジスタ２０に入力され、このフォトトランジスタ２０で電気信号に変換される。そして電気信号に変換された後、受信手段５１で増幅される。そして、この信号は制御部５２で解読され、信号の種類に基づいた動作をする。
【００３７】
即ち、選曲番号のデータであったならば、その内容を表示部６３に表示するとともにメモリー部５３から該当する曲の画像データと、この画像データに文字データをスーパーインポーズして表示制御部５４を介して複数のモニタ５５に表示する。また、前記選曲番号に対応する音響データは増幅器５９を介してスピーカ６０から出力される。
【００３８】
また、このとき歌唱者１５の歌唱信号は電波１４を介してアンテナ５７に入力され、復調器５８で復調されてやはりスピーカ６０から出力される。ビデオカメラ１７では歌唱者１５の映像を捉え録画装置１８に録画する。また、このとき歌唱者１５の歌と画像データに基づく画像信号と音響データに基づく音響信号と文字データに基づく文字信号も録画装置１８で録画する。しかし、著作権法で禁止されている画像信号と音響信号と文字信号は録画されないようになっている。なお、このときその旨が表示部６３に表示される。
【００３９】
図５は、リモコン送信器１１から出力される処理命令コードをリモコン制御装置１６に学習させる手順のフローチャートである。図５と図１において、先ず入力手段３２の「初期設定」ボタンを押下する（ステップ７１）。そうすると制御部２４は学習モードに入り（ステップ７２）、表示部３３にその旨を表示する。なお、この入力手段３２と表示部３３は一体化されたタッチパネルを用いても良い。
【００４０】
次に、表示部３３の指示に従ってリモコン送信器１１のキーボード４１を押下する（ステップ７３）。そうするとリモコン送信器１１からは該当する信号が送信され、フォトトランジスタ２１と受信部２２を介して制御部２４に取り込まれる。そこで、制御部２４はこの信号情報をメモリー部２９の処理命令テーブル３０に格納する（ステップ７４）。
【００４１】
処理命令テーブル３０に格納が終了したら、表示部３３はリモコン送信器１１の次のキー入力を指示する（ステップ７５）。そして、次に学習すべきキー入力が在るか否かを操作者に尋ねる（ステップ７６）。ここで、まだ学習が終了していない場合にはステップ７３に戻って次のキーを学習させる。学習が終了していれば、このリモコン送信器１１から出力されるキー信号入力をリモコン制御装置１６に学習させる手順は終了する。
【００４２】
このようにして、リモコン制御装置１６はリモコン送信器１１の命令コードを学習するので、どのような命令コードを有するモコン送信器１１にも対応することができる。即ち、既設のリモコンシステムに変更を加えることなく対応することができるものである。
【００４３】
（第２実施例）
次に、図６を参照して、上記第１実施例とは別の実施例（第２実施例）のリモコン制御装置について説明する。図６は、第２実施例におけるリモコン制御装置とこのリモコン制御装置を用いたリモコンシステムのブロック図である。第１実施例におけるリモコンシステムでは赤外線を用いたのに対して、第２実施例では１３ＭＨｚ帯の電波を用いる点で相違する。それ以外の点では同一であるので、第１実施例と同一のものに関しては同一番号を付して説明を簡略化する。
【００４４】
図６において、８１はリモコン送信器であり、第１実施例におけるリモコン送信器１１に対応する。８２はリモコン制御装置であり、第１実施例におけるリモコン制御装置１６に対応する。また、８３はカラオケ装置であり、第１実施例におけるカラオケ装置１７に対応している。なお、ビデオカメラ１８、録画装置１９については第１実施例と同様である。なお、第２実施例においては、リモコン送信器８１とカラオケ装置８３とは、互いの混信を防ぐため、少なくとも２種以上の周波数有する電波を用いて運用できるシステムとする。
【００４５】
リモコン送信器８１では、第１実施例における制御回路４２から出力されるキー入力信号は変調器８４で１３ＭＨｚ帯の第１の周波数に変調される。そして、その信号はアンテナ８５から電波８６となって出力される。この電波８６はリモコン制御装置８２のアンテナ８７で受信される。そしてこのアンテナ８７に接続された復調器８８で復調される。この復調信号は第１実施例で述べた比較器２３と一時記憶部２５と制御部２４に入力される。
【００４６】
また、一時記憶部２５の出力は変調器８９に接続される。そして１３ＭＨｚ帯の第２の周波数に変調される。変調器８９の出力はアンテナ９０に接続されて、アンテナ９０から電波９１として出力される。なお、復調器８８と変調器８９との間には高周波的に分離するためグランドに接続されたシールド板によるシールド手段９５が設けられている。
【００４７】
アンテナ９０から出力された電波９１は、カラオケ装置８３のアンテナ９２で受信される。このアンテナ９２は復調器９３に接続されており、この復調器９３で復調される。この復調器９３の出力は第１実施例で述べた制御部５２に接続されている。
【００４８】
なお、第１実施例では、送受信手段３６と処理部３５とを分離しているが、第２実施例においては、リモコン制御装置８２は一つの筺体に実装されている。これは伝達媒体として、電波を使うために設置場所の自由度が増した効果によるものである。
このように、第２実施例においては、リモコン送信器８１とリモコン受信器８３との間の通信には電波８６，９１を用いているので、リモコン制御装置８２を設置するための場所選択が自由となる。
【００４９】
また、受信した周波数の電波８６と、送信する周波数の電波９１とは異なる周波数の電波を用いているので、リモコン送信器８１の電波８６、と送信手段８９の電波９１との間で混信を生ずることはない。なお、リモコン送信器８１か或いはリモコン受信器８３のどちらか一方の周波数チャンネルを変えるのみで、既設のリモコンシステムを使用することができる。
【００５０】
更に、送信手段８９のアンテナ９０をリモコン受信器８３のアンテナ９２の近傍に設置すれば、送信手段８９の出力は微弱でも良く、省エネルギーに貢献できる。また、他の機器に悪影響を及ぼすこともない。
【００５１】
更にまた、送信手段８９と受信手段８８との間にシール部９５が設けられているので、受信手段８８で受信した信号が直接送信手段８９に洩れることはない。
【００５２】
以上、実施例に基づき本発明を説明したが、本発明の実施例は、上記実施例に限られるものではなく本発明の趣旨を逸脱しない範囲内で種々の改良変形が可能であり、本発明の技術的範囲には、これらの改良変形も含まれる。
【００５３】
例えば、上記実施例は、本発明をカラオケシステム（カラオケ録画装置）に適用した例を示すものであるが、本発明はカラオケシステム以外のもの（例えば、スタジオ録音システム）に適用しても良いことはいうまでもない。
【００５４】
本発明は、以下のようにも表現できる。なお、以下の発明の作用効果は、上述の内容より容易に想到可能であると思われるので省略する。また、以下の発明の文言の言い回しは出願当初の特許請求の範囲に記載の発明に応用可能である。
【００５５】
第１電化製品用のリモコン装置より送られる赤外線信号を受信（受光）するリモコン信号受信手段と、そのリモコン信号受信手段による受信信号と同一内容の信号を前記第１電化製品の本体装置へ送信するリモコン信号送信手段と、第２電化製品の運転状況を表す信号を受信する運転状況信号受信手段と、前記リモコン信号受信手段により赤外線信号を受信した場合に、そのリモコン信号受信手段の受信信号および前記運転状況信号受信手段の受信信号の組合せの如何に基づいて、リモコン信号送信手段による信号の送信を制御する送信制御手段とを備えていることを特徴とするリモコン制御装置（Ａ）。
【００５６】
ここで、リモコン制御装置（Ａ）と出願時の特許請求の範囲及び明細書に記載の文言とを対比すれば、第１電化製品の本体装置は、上述のリモコン受信器に相当し、第１電化製品のリモコン装置は、リモコン送信器に相当し、第２電化製品は、外部装置に相当し、リモコン信号受信手段は、受信手段に相当し、リモコン信号送信手段は、送信手段に相当し、送信制御手段は、処理手段に相当する。
【００５７】
リモコン制御装置（Ａ）において、リモコン信号送信手段は、リモコン信号受信手段の受信信号と同一の赤外線信号を第１電化製品へ送信（発信、発光）する赤外線信号送信手段であることを特徴とするリモコン制御装置（Ｂ）。
【００５８】
リモコン制御装置（Ａ）又は（Ｂ）において、手操作による入力手段を備えており、記憶手段には、赤外線信号受信手段により赤外線信号が受信された場合、前記入力手段を介して赤外線信号の意味する英数字、命令その他の命令コードが入力されることにより、複数の赤外線信号と命令コードとが対応つけて複数組記憶されることを特徴とするリモコン制御装置（Ｃ）。
【００５９】
リモコン制御装置（Ａ）から（Ｃ）の何れかにおいて、送信制御手段は、第２電化製品が作動中である場合には、リモコン信号受信手段による信号の受信にかかわらず、リモコン信号送信手段による信号の送信を行わないことを特徴とするリモコン制御装置（Ｄ）。
【００６０】
リモコン制御装置（Ａ）から（Ｄ）の何れかにおいて、送信制御手段は、第２電化製品の準備が整うまで、リモコン信号送信手段による送信を停止することを特徴とするリモコン制御装置（Ｅ）。
【００６１】
リモコン制御装置（Ａ）から（Ｅ）の何れかにおいて、送信制御手段は、リモコン信号送信手段による送信とともに、その送信信号の内容を記憶しておくことを特徴とするリモコン制御装置（Ｆ）。
【００６２】
リモコン制御装置（Ａ）から（Ｆ）の何れかにおいて、送信制御手段は、直ちに発光信号を発光することを特徴とするリモコン制御装置（Ｇ）。
【００６３】
リモコン制御装置（Ａ）から（Ｇ）の何れかにおいて、第１電化製品は、カラオケ装置であり、第２電化製品は、すくなくとも歌唱者の歌唱を録音する録音装置又は歌唱者の歌唱姿を録画する録画装置の何れか一方の装置により構成されていることを特徴とするリモコン制御装置（Ｈ）。
【００６４】
リモコン制御装置（Ａ）から（Ｈ）の何れかを有することを特徴とするカラオケ録音装置（Ｉ）。
【００６５】
リモコン制御装置（Ａ）から（Ｈ）の何れかを有することを特徴とするカラオケ録画装置（Ｊ）。
【００６６】
リモコン制御装置（Ａ）から（Ｈ）の何れかを有することを特徴とするカラオケ録音録画装置（Ｋ）。
【図面の簡単な説明】
【００６７】
【図１】本発明の第１実施例におけるリモコン制御装置とこのリモコン制御装置を用いたリモコンシステムのブロック図である。
【図２】上記システムを構成するメモリー部に格納される処理命令テーブルの内容を（表形式で）示す図である。
【図３】上記システムを構成するリモコン送信器のブロック図である。
【図４】上記システムを構成するカラオケ装置のブロック図である。
【図５】上記システムにおけるリモコン学習のフローチャートで有る。
【図６】第２実施例におけるリモコン制御装置とこのリモコン制御装置を用いたリモコンシステムのブロック図である。
【図７】従来技術のリモコンシステムのブロック図である。
【符号の説明】
【００６８】
１１  リモコン送信器
１２  赤外線信号
１６  リモコン制御装置
１７  カラオケ装置
１８  ビデオカメラ
１９  録画装置
２２  受信部
２６  送信部
２９  メモリー部
３０  処理命令テーブル
３５  処理部
３７  赤外線信号
【図１】
2005091898.tif 000003
【図２】
2005091898.tif 000004
【図３】
2005091898.tif 000005
【図４】
2005091898.tif 000006
【図５】
2005091898.tif 000007
【図６】
2005091898.tif 000008
【図７】
2005091898.tif 000009